【手続補正書】
【提出日】平成27年5月29日(2015.5.29)
【手続補正１】
【補正対象書類名】明細書
【補正対象項目名】発明の名称
【補正方法】変更
【補正の内容】
【発明の名称】ファイル送信装置、その制御方法及びプログラム
【手続補正２】
【補正対象書類名】明細書
【補正対象項目名】０００１
【補正方法】変更
【補正の内容】
【０００１】
本発明は、ファイルを端末に送信する技術に関する。
【手続補正３】
【補正対象書類名】明細書
【補正対象項目名】０００８
【補正方法】変更
【補正の内容】
【０００８】
本発明は、記憶装置に記憶されているファイルのダウンロード要求を受け付けることによる処理負荷を軽減することを目的とする。
【手続補正４】
【補正対象書類名】明細書
【補正対象項目名】０００９
【補正方法】変更
【補正の内容】
【０００９】
本発明のファイル送信装置は、ファイルを送信する送信先の端末と通信可能な、当該ファイルを記憶する記憶手段を備えるファイル送信装置であって、前記ファイルのダウンロードを行うための電子メールの送信先を受け付ける受付手段と、前記受付手段で受け付けた送信先に対して、前記ファイルのダウンロード要求をさせるための情報を含む電子メールを送信する電子メール送信手段と、前記端末からの前記ファイルのダウンロード要求を受け付けることで、当該ファイルを前記ダウンロード要求した端末にダウンロードさせるべく送信するファイル送信手段と、前記電子メール送信手段で送信した電子メールの送信先の数と前記ファイル送信手段で前記ファイルを送信した数であるファイル送信数を用いて特定される、前記ファイルを未送信である数を示すファイル未送信数を記憶するファイル未送信数記憶手段と、を備え、前記電子メール送信手段は、前記ファイル未送信数記憶手段に記憶されている前記ファイル未送信数が所定数に達している場合には前記電子メールの送信を行うことなく、前記ファイル未送信数が所定数に達していない場合に前記電子メールを前記受付手段で受け付けた送信先に送信することを特徴とする。
【手続補正５】
【補正対象書類名】明細書
【補正対象項目名】００１０
【補正方法】変更
【補正の内容】
【００１０】
本発明の制御方法は、ファイルを送信する送信先の端末と通信可能な、当該ファイルを記憶する記憶手段を備えるファイル送信装置の制御方法であって、前記ファイルのダウンロードを行うための電子メールの送信先を受け付ける受付工程と、前記受付工程で受け付けた送信先に対して、前記ファイルのダウンロード要求をさせるための情報を含む電子メールを送信する電子メール送信工程と、前記端末からの前記ファイルのダウンロード要求を受け付けることで、当該ファイルを前記ダウンロード要求した端末にダウンロードさせるべく送信するファイル送信工程と、前記電子メール送信工程で送信した電子メールの送信先の数と前記ファイル送信工程で前記ファイルを送信した数であるファイル送信数を用いて特定される、前記ファイルを未送信である数を示すファイル未送信数を記憶するファイル未送信数記憶工程とを含み、前記電子メール送信工程は、前記ファイル未送信数記憶工程で記憶されている前記ファイル未送信数が所定数に達している場合には前記電子メールの送信を行うことなく、前記ファイル未送信数が所定数に達していない場合に前記電子メールを前記受付工程で受け付けた送信先に送信することを特徴とする。
【手続補正６】
【補正対象書類名】明細書
【補正対象項目名】００１１
【補正方法】変更
【補正の内容】
【００１１】
本発明のプログラムは、ファイルを送信する送信先の端末と通信可能な、当該ファイルを記憶する記憶手段を備えるファイル送信装置で実行が可能なプログラムであって、前記ファイル送信装置を、前記ファイルのダウンロードを行うための電子メールの送信先を受け付ける受付手段と、前記受付手段で受け付けた送信先に対して、前記ファイルのダウンロード要求をさせるための情報を含む電子メールを送信する電子メール送信手段と、前記端末からの前記ファイルのダウンロード要求を受け付けることで、当該ファイルを前記ダウンロード要求した端末にダウンロードさせるべく送信するファイル送信手段と、前記電子メール送信手段で送信した電子メールの送信先の数と前記ファイル送信手段で前記ファイルを送信した数であるファイル送信数を用いて特定される、前記ファイルを未送信である数を示すファイル未送信数を記憶するファイル未送信数記憶手段として機能させ、前記電子メール送信手段は、前記ファイル未送信数記憶手段に記憶されている前記ファイル未送信数が所定数に達している場合には前記電子メールの送信を行うことなく、前記ファイル未送信数が所定数に達していない場合に前記電子メールを前記受付手段で受け付けた送信先に送信することを特徴とする。
【手続補正７】
【補正対象書類名】明細書
【補正対象項目名】００１２
【補正方法】変更
【補正の内容】
【００１２】
本発明によれば、記憶装置に記憶されているファイルのダウンロード要求を受け付けることによる処理負荷を軽減することが可能となる。
【手続補正８】
【補正対象書類名】特許請求の範囲
【補正対象項目名】全文
【補正方法】変更
【補正の内容】
【特許請求の範囲】
【請求項１】
ファイルを送信する送信先の端末と通信可能な、当該ファイルを記憶する記憶手段を備えるファイル送信装置であって、
前記ファイルのダウンロードを行うための電子メールの送信先を受け付ける受付手段と、
前記受付手段で受け付けた送信先に対して、前記ファイルのダウンロード要求をさせるための情報を含む電子メールを送信する電子メール送信手段と、
前記端末からの前記ファイルのダウンロード要求を受け付けることで、当該ファイルを前記ダウンロード要求した端末にダウンロードさせるべく送信するファイル送信手段と、
前記電子メール送信手段で送信した電子メールの送信先の数と前記ファイル送信手段で前記ファイルを送信した数であるファイル送信数を用いて特定される、前記ファイルを未送信である数を示すファイル未送信数を記憶するファイル未送信数記憶手段と、
を備え、
前記電子メール送信手段は、前記ファイル未送信数記憶手段に記憶されている前記ファイル未送信数が所定数に達している場合には前記電子メールの送信を行うことなく、前記ファイル未送信数が所定数に達していない場合に前記電子メールを前記受付手段で受け付けた送信先に送信することを特徴とするファイル送信装置。
【請求項２】
前記ファイル未送信数記憶手段が記憶する前記ファイル未送信数は、前記ファイルのダウンロードを行っていない前記送信先の数であって、
前記電子メール送信手段は、前記ファイルのダウンロードを行っていない前記送信先の数が所定数を超えている場合には前記電子メールの送信を行うことなく、前記ファイルのダウンロードを行っていない前記送信先の数が所定数を超えていない場合に前記送信先に対して前記電子メールを送信することを特徴とする請求項１に記載のファイル送信装置。
【請求項３】
前記ファイルのダウンロード要求をさせるための情報とは前記記憶手段に記憶されている前記ファイルにアクセスするためのＵＲＬであって、
前記ファイル送信装置は、
前記ＵＲＬを含む電子メールを前記送信先ごとに生成する電子メール生成手段
を備え、
前記電子メール送信手段は、前記電子メール生成手段で生成された前記ＵＲＬを含む電子メールを前記送信先に送信することを特徴とする請求項１又は２に記載のファイル送信装置。
【請求項４】
前記ファイル送信装置は読取機構を備え、
前記読取機構により読み取った情報に基づいて前記送信先に送信する前記ファイルとしての画像ファイルを生成する画像ファイル生成手段と、
前記画像ファイル生成手段で生成された前記画像ファイルのサイズが、電子メールに添付するファイルの上限サイズを超えるか判定する判定手段と、
前記判定手段で前記画像ファイルのサイズが前記添付の上限サイズを超えると判定された場合に、前記記憶手段に記憶された画像ファイルをダウンロードさせるためのＵＲＬを含む前記電子メールを生成するか否かユーザに選択させるための選択画面を、前記端末に表示させるべく制御する表示制御手段と、
を備え、
前記電子メール生成手段は、前記選択画面で前記ＵＲＬを含む前記電子メールを生成することが選択された場合に、前記ＵＲＬを含む電子メールを生成することを特徴とする請求項３に記載のファイル送信装置。
【請求項５】
ファイルを送信する送信先の端末と通信可能な、当該ファイルを記憶する記憶手段を備えるファイル送信装置の制御方法であって、
前記ファイルのダウンロードを行うための電子メールの送信先を受け付ける受付工程と、
前記受付工程で受け付けた送信先に対して、前記ファイルのダウンロード要求をさせるための情報を含む電子メールを送信する電子メール送信工程と、
前記端末からの前記ファイルのダウンロード要求を受け付けることで、当該ファイルを前記ダウンロード要求した端末にダウンロードさせるべく送信するファイル送信工程と、
前記電子メール送信工程で送信した電子メールの送信先の数と前記ファイル送信工程で前記ファイルを送信した数であるファイル送信数を用いて特定される、前記ファイルを未送信である数を示すファイル未送信数を記憶するファイル未送信数記憶工程と
を含み、
前記電子メール送信工程は、前記ファイル未送信数記憶工程で記憶されている前記ファイル未送信数が所定数に達している場合には前記電子メールの送信を行うことなく、前記ファイル未送信数が所定数に達していない場合に前記電子メールを前記受付工程で受け付けた送信先に送信することを特徴とするファイル送信装置の制御方法。
【請求項６】
ファイルを送信する送信先の端末と通信可能な、当該ファイルを記憶する記憶手段を備えるファイル送信装置で実行が可能なプログラムであって、
前記ファイル送信装置を、
前記ファイルのダウンロードを行うための電子メールの送信先を受け付ける受付手段と、
前記受付手段で受け付けた送信先に対して、前記ファイルのダウンロード要求をさせるための情報を含む電子メールを送信する電子メール送信手段と、
前記端末からの前記ファイルのダウンロード要求を受け付けることで、当該ファイルを前記ダウンロード要求した端末にダウンロードさせるべく送信するファイル送信手段と、
前記電子メール送信手段で送信した電子メールの送信先の数と前記ファイル送信手段で前記ファイルを送信した数であるファイル送信数を用いて特定される、前記ファイルを未送信である数を示すファイル未送信数を記憶するファイル未送信数記憶手段として機能させ、
前記電子メール送信手段は、前記ファイル未送信数記憶手段に記憶されている前記ファイル未送信数が所定数に達している場合には前記電子メールの送信を行うことなく、前記ファイル未送信数が所定数に達していない場合に前記電子メールを前記受付手段で受け付けた送信先に送信することを特徴とするファイル送信装置のプログラム。